(57)【要約】【課題】従来のものは、蚊等の虫および臭気を屋内へ漏らさないようにネジで螺合している構造または、ステンレス円筒管をステンレス排水管に密な構造にして差し込む構造にとなっているが、前者はネジで螺合しているため着脱が簡単でなかった。後者は差込時に一定以上の差込み力が必要であり、材料はステンレス製で溶接や機械加工して仕上げるので、非常に手間と加工コストがかかり高価につく欠点があった。【解決手段】床排水桝本体とその排水管をＦＲＰで構成し、且つトラップ装置はＰＶＣで構成し、トラップ装置の円筒状の立上げ管の下部には相互の嵌合の際のシール性を密にするための帯状もしくは環状のシール材を配設し円筒状の立上げ管を前記排水官に嵌め込む構成とした。また前記排水管に傘状のテーパ部を設け力むことなく嵌合することを特徴とする。【選択図】図１
2006266005.tif 000002
【特許請求の範囲】
【請求項１】
本体１およびその底部に設けられている円筒状の排水管２をＦＲＰで一体成形している床排水桝において、ＰＶＣのトラップ管３は円筒状の立ち上げ管４とこの立ち上げ管４に被せたスカート状の縁端部を有する円筒状のキャップ５と前記立ち上げ管４の周辺部に開口された開口部７とからなり、この立ち上げ管４の下側の溝にゴムまたは合成樹脂製のシール材１２が配設されており、前記立ち上げ管４を前記排水管２に挿入する際にはシール性を保持するように嵌合固定され、排水が前記円筒状のキャップ５と立ち上げ管４との空間部に入り、かつ溢流線８を越えると立ち上げ管４に設けられた開口部７を介して排水管２に排水されることを特徴とする合成樹脂製床排水桝。
【請求項２】
前記排水管２に傾斜したテーパ部１３が設けられ、円筒状の立ち上げ管４の下側の溝に配置されたシール材１２は、立ち上げ管４と排水管２が嵌合された際、前記テーパ部１３に係合して固定されることを特徴とする請求項１の合成樹脂製床排水桝。
【発明の詳細な説明】
【技術分野】
【０００１】
本発明は、各種厨房、食品工場、薬品工場または研究施設等で使用される合成樹脂製床排水桝に関する。
【背景技術】
【０００２】
下水路などの排水管から発生する蚊等の虫および臭気を屋内へ漏らさないようにしたものに特開２００２−３８５５６号公報に示されるステンレス製のものがある。蚊等虫および臭気を屋内へ漏らさないようにするため、床排水桝と内部にネジを切った係合管とを接合し、下部にネジを切った円筒状のトラップ管をパッキン材を介して前記係合管に螺合して係止したものである。また他の例は係合管内部の溝にＯリングを嵌め、この係合管にトラップ管を差し込んでその下方外周面をＯリングと当接させて係合止着している。いずれもステンレス製の床排水桝の円筒管を円筒状の排水係合管に差込んで密接合したものである。
【０００３】
しかしながら、従来のものは、蚊等の虫および臭気を屋内へ漏らさない構造となっているが、前者はネジで螺合しているため着脱が簡単でなかった。後者は差し込み時に一定以上の差し込み力が必要である。また両者は衛生面と長期間使用可能という理由で材料はステンレス製で溶接や機械加工して仕上げるので、非常に手間と加工コストがかかり高価につく欠点があった。
【特許文献１】特開２００２−３８５５６号公報
【発明の開示】
【発明が解決しようとする課題】
【０００４】
本発明の解決しようとする課題は、これらの欠点に鑑み、製造および工事がしやすく、且つ軽量で安価な床排水桝を提供することにある。またトラップ管の抜き差しがスムーズで楽な床排水桝を提供することにある。
【課題を解決するための手段】
【０００５】
本発明は、繊維強化プラスチック（以下、ＦＲＰという。）のような強固かつ軽量の材料で床排水桝本体１とその排水管2を構成し、且つトラップ管３を安価で加工が容易な塩化ビニール樹脂（以下、ＰＶＣという。）で構成し、前記トラップ管の円筒状の立ち上げ管4の下部には、相互の嵌合の際のシール性を保持するための帯状もしくは環状のシール材１２を配設し立上げ管を前記桝の排水管に嵌め込む構成とした。前記排水管に０．２゜〜 １０゜の入口が開いた傘状のテーパ部を設け嵌合することを特徴とする
【発明の効果】
【０００６】
前記構造により、製造および工事がしやすく、且つ軽量で安価な床排水桝を提供できる。また排水管にテーパ部を設けシール性を損なうことがないようにしているので清掃を行う際に楽に床排水桝にトラップ管のスムーズな着脱が可能となる。したがって掃除も容易で衛生的となる。
【実施例１】
【０００７】
図１に、本発明の一実施例である床排水桝の断面概要を示す。１はＦＲＰで成形された立方形状の床排水桝の本体、２はその底部に設けられている排水管でＦＲＰで一体成形されている。３はＰＶＣで成形されたトラップ管で、円筒状の立ち上げ管４が床排水桝１の底にある排水管２に嵌め込まれる。５はトラップ管を構成する円筒状のキャップで立ち上げ管４に被せられている。端部がスカート状の縁端部となっている。６はその天井板、７は立ち上げ管４の周辺部に開けられた開口部で、溢流線８を排水が越えると立ち上げ管４を介して排水管２に流れ込み一定のレベルに保持される。９は排水に含まれるゴミを除去するためのバスケット、１０は多数の孔が開口されたマンホール蓋で床排水桝１の縁端部１１に嵌め込まれる。１２は、前記立ち上げ管４の下側の溝に配置された嵌合の際のシール性を密にするためのゴムまたは合成樹脂製の帯状もしくは環状のシール材である。
排水溝や床上を流れてくる排水は、マンホール蓋１０の多数の孔、バスケット９を通過して床排水桝１に流れ込み溜まる。
排水管２を有する床排水桝１はステンレスではないが必要な土中の押圧に十分耐える強度を有するＦＲＰ樹脂で一体成形しているので、製造が簡単・安価である。また軽量であるので持ち運びが簡単で、床設置工事も簡単・安価である。
トラップ管３は、ステンレスではなく、十分な強度を有するありふれた合成樹脂のＰＶＣで成形されているので、製造が簡単・安価である。床排水桝１をステンレスではなく、ＦＲＰで製造することで、上記した効果のほかに成型品のため量産時の寸法再現性が容易であり、またステンレスより抜き差し時の摩擦が小さく滑らかなので滑り性及びシール性がよく差し込み・取外しが容易・簡単である。
【０００８】
図２は床排水桝１を上部から見て部分的に説明するもので、図１と同一個所に同じ符号を付する。
【０００９】
図３で、トラップ管３と排水管２との嵌め合いを説明する。
上記したように符号４は、ＰＶＣの円筒状の立ち上げ管で、その下部にシール材１２が嵌合されている。立ち上げ管４の頂部にある天井板６の円端部にスカート状の円筒キャップ５が配設され、立ち上げ管４との空間部に排水は入り込み、溢流線８を越えると、上部に設けられた開口部７から排水管２に流れ込む。
このトラップ管３の立ち上げ管４を排水管２に矢印方向に嵌め込むと前記シール材１２が傾斜した傘状のテーパ部１３に係合しながらシール性を保つように排水管２の段部１４で固定される。ＰＶＣの立ち上げ管４は軽量且つ排水管２はテーパであるため嵌めこみが簡単且つスムーズで楽である。
【００１０】
掃除のときは、床排水桝１内に溜まった水を完全排水する。ＰＶＣの立ち上げ管４のキャップ５を手にもって上に引っ張るだけで、テーパ部１３を有する排水管２から嵌合が簡単に解かれる。排水管２にテーパ部１３があるからよりスムーズな着脱が可能になって掃除がしやすく衛生的である。
【００１１】
上記したように、排水管２および排水管２を有する床排水桝本体１とをＦＲＰで一体成形し、且つトラップ管３をＰＶＣで成形する構成としたので、製造が簡単・安価である。また軽量であるので持ち運びが簡単で、床設置工事も簡単である。そのため工事費も安価となる。本体１および排水管２をＦＲＰで一体成形したので軽くて着脱部の滑り性がよく、且つシール性を保持した差込み・取外しが容易・簡単である。
排水管２に傾斜したテーパ部１３を設けたので、トラップ管３の立ち上げ管４との嵌め合いシール性に優れており、テーパ部１３の掃除がしやすいので、衛生的である。
【図面の簡単な説明】
【００１２】
【図１】本考案の一実施例に係る床排水桝の概略断面説明図である。
【図２】本考案の一実施例を説明する概略平面図である。
【図３】本考案の一実施例の嵌合状態を説明する断面図である。
【符号の説明】
【００１３】
１・・・床排水桝の本体
２・・・排水管
３・・・トラップ管
４・・・立ち上げ管
１２・・シール材
１３・・排水管のテーパ部
【図１】
2006266005.tif 000003
【図２】
2006266005.tif 000004
【図３】
2006266005.tif 000005